(57)【特許請求の範囲】
【請求項１】
トラクタに連結機構により機枠を連結し、該機枠に畦上に土を盛り上げる盛土機構を設け、該盛土機構の上方にカバー部材を設け、該盛土機構の進行方向後方位置に整畦体を設けてなり、上記整畦体は畦上面及び畦一方斜面に適合する連続した線分を母線とする周側面を有する縦軸を備えた回転体状に形成されて該縦軸に対して横回りに回転するように設けられていることを特徴とする整畦機。
【請求項２】
上記整畦体を強制回転させる回転機構を設けて構成したことを特徴とする請求項１記載の整畦機。
【請求項３】
上記整畦体は畦上面を整畦可能な周側面をもつ上回転体部分と該上回転体部分の下側に一体に形成されて畦一方斜面を整畦可能な周側面をもつ下回転体部分とからなる縦軸を備えた回転体状に形成されて該縦軸に対して横回りに回転するように設けられていることを特徴とする請求項１又は２記載の整畦機。
【請求項４】
上記整畦体の縦軸は畦の一方斜面に対して略平行に設けられていることを特徴とする請求項１乃至３記載の整畦機。
【請求項５】
上記整畦体の上回転体部分の周側面の母線方向が畦上面に対して略平行に設けられていることを特徴とする請求項３又は４記載の整畦機。
【発明の詳細な説明】
【０００１】
【産業上の利用分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、トラクタに連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該トラクタの動力取出軸を駆動源として整畦体を往復畦叩動作させるクランク式又は油圧式の畦叩機構を設け、トラクタを旧畦に沿って走行させ、回転ロータで圃場中の泥土を旧畦上に盛り上げ、この盛土を整畦体の畦叩き動作により叩き付けるようにして構成したものである。
【０００４】
【発明が解決しようとする課題】
しかしながら上記従来構造の場合、整畦体は畦上面を叩締め可能な平坦面をもつ上面叩き板部分と上面叩き板部分の機枠側側面に一体に形成されて畦一方斜面を叩締め可能な平坦面をもつ側叩き板部分とからなり、これら上面叩き板部分及び側叩き板部分の平坦面は畦上面及び畦一方斜面に適合する略ヘ形状に一体に形成されて、整畦体の畦叩き動作により各平坦面の全面をもって畦を叩き締める構造となっており、叩き動作の際に土質条件等によっては、整畦体が畦土を叩いて畦内に沈下することがあり、この場合には、整畦進行に伴って、整畦体の進行方向前側が畦土に衝突して整畦体の進行が阻害され、ひいては整畦進行が不円滑となると共に畦表面の仕上がり状態が悪くなり、従って、良好な整畦作業を行い得ないことがあるという不都合を有している。
【０００５】
【課題を解決するための手段】
本発明はこのような不都合を解決することを目的とするもので、本発明のうち、請求項１記載の発明は、トラクタに連結機構により機枠を連結し、該機枠に畦上に土を盛り上げる盛土機構を設け、該盛土機構の上方にカバー部材を設け、該盛土機構の進行方向後方位置に整畦体を設けてなり、上記整畦体は畦上面及び畦一方斜面に適合する連続した線分を母線とする周側面を有する縦軸を備えた回転体状に形成されて該縦軸に対して横回りに回転するように設けられていることを特徴とする整畦機にある。
【０００６】
又、請求項２記載の発明は、上記整畦体を強制回転させる回転機構を設けて構成したことを特徴とするものであり、又、請求項３記載の発明は、上記整畦体は畦上面を整畦可能な周側面をもつ上回転体部分と該上回転体部分の下側に一体に形成されて畦一方斜面を整畦可能な周側面をもつ下回転体部分とからなる縦軸を備えた回転体状に形成されて該縦軸に対して横回りに回転するように設けられていることを特徴とするものであり、又、請求項４記載の発明は、上記整畦体の縦軸は畦の一方斜面に対して略平行に設けられていることを特徴とするものであり、又、請求項５記載の発明は、上記整畦体の上回転体部分の周側面の母線方向が畦上面に対して略平行に設けられていることを特徴とするものである。
【０００７】
【実施例】
図１乃至図８は本発明の実施例を示し、図１乃至図６は第一実施例、図７は第二実施例、図８は第三実施例である。
【０００８】
図１乃至図６の第一実施例において、１はトラクタであって、後部に三点リンク式の連結機構２により機枠３を上下動可能に連結している。
【０００９】
４は盛土機構であって、この場合回転ロータ５からなり、この回転ロータ５はロータ軸５ａに二個の取付円盤５ｂを並設し、各取付円盤５ｂに複数個の掻上刃５ｃを突設してなり、上記機枠３に回転ロータ５をその回転軸線を畦造成方向と平行にして回転自在に取付け、機枠３にトラクタ１に設けられた動力取出軸６により回転する主軸７を軸受し、回転ロータ５を主軸７より変向用ギヤ列８及びチェーン機構９を介して回転させ、回転ロータ５により畦際の圃場面Ｍの土を削出して旧畦Ｗに向けて跳ね上げて盛り上げるように構成している。
【００１０】
１０はカバー部材であって、この場合上記機枠３に取り付けられ、上記回転ロータ５の上方及び畦Ｗの上方を覆う形状に形成され、カバー部材１０の畦側に畦上面Ｗ1に倣って上下動作する側部カバー部材１１を設けている。
【００１１】
１２は整畦体であって、この整畦体１２は畦上面Ｗ1及び畦一方斜面Ｗ2に適合する連続した線分を母線Ｋとする周側面を有する縦軸Ｒを備えた回転体状に形成され、この場合縦軸Ｒを備えた畦上面Ｗ1を整畦可能な略円錐状の周側面１３ａをもつ上回転体部分１３とこの上回転体部分１３の下側に一体に形成されて畦一方斜面Ｗ2を整畦可能な略円錐状の周側面１４ａをもつ下回転体部分１４とからなり、畦斜面Ｗ2と略平行な縦軸Ｒに対して横回りに回転するように設けられている。
【００１２】
１５は回転機構であって、この場合機枠３の後部に取付部材１６を突設し、取付部材１６に上記整畦体１２の縦軸Ｒ上に突出されたロータ軸１２ａを横回り状態で軸受し、取付部材１６に油圧モータ１７を取付け、上記機枠３に主軸７により駆動される油圧ポンプ１８を取付け、油圧ポンプ１８と油圧モータ１７とを図示省略の油圧ホースにより接続し、油圧モータ１７の出力軸とロータ軸１２ａとを直結し、油圧モータ１７により整畦体１２を縦軸Ｒに対して図中矢印方向に横回りに強制回転させるように構成している。
【００１３】
１９は安定部材であって、カバー部材１０の進行方向後面に上下調節自在に取り付けられ、圃場面に接触して、機枠３の安定走行を可能にする。
【００１４】
この第一実施例は上記構成であるから、トラクタ１を旧畦に沿って走行しつつ動力取出軸６を回転すると一方では盛土機構４としての回転ロータ５が畦際の圃場泥土を旧畦上に連続的に跳ね上げて盛り上げ、カバー部材１０及び側部カバー部材１１は回転ロータ５の上方及び畦側方への泥土飛散を防止し、跳ね上げられた泥土は外方飛散を防がれて自重落下し、他方ではその旧畦上に盛り上げられた土に畦上面Ｗ1及び畦一方斜面Ｗ2に適合する連続した線分を母線Ｋとする周側面を有する縦軸Ｒを備えた回転体状の整畦体１２が縦軸Ｒに対して横回りに回転しつつ圧締し、これにより畦上面Ｗ1及び畦一方斜面Ｗ2は連続して圧締整畦され、それだけ整畦体の円滑な整畦進行ができると共に畦表面の仕上がり状態も良化し、良好な整畦作業を行い得ることができる。
【００１５】
またこの場合整畦体１２は回転機構１５により強制回転することになるから、一層良好な円滑な整畦進行が可能となって良好な整畦作業を行い得ることができ、又、整畦体１２は畦上面Ｗ1を整畦可能な略円錐状の周側面１３ａをもつ上回転体部分１３とこの上回転体部分１３の下側に一体に形成されて畦一方斜面Ｗ2を整畦可能な略円錐状の周側面１４ａをもつ下回転体部分１４とからなる縦軸Ｒを備えた回転体状に形成されて縦軸Ｒに対して横回りに回転するように設けられているから、整畦体１２は縦軸Ｒに対して畦面を横回りに転動しつつ進行し、それだけ一層整畦体１２の円滑な整畦進行ができると共に畦表面の仕上がり状態も良化し、良好な整畦作業を行い得ることができる。
【００１６】
また上記整畦体１２の縦軸Ｒは畦の一方斜面Ｗ2に対して略平行に設けられているから、整畦体１２を縦軸Ｒ方向に上下調節することで種々の畦高さに容易に適合させることができ、また上記整畦体１２の上回転体部分１３の略円錐状の周側面１３ａの母線方向は畦上面Ｗ1に対して略平行に設けられているから、畦上面Ｗ1の締圧を良化することができる。
【００１７】
図７の第二実施例は整畦体１２の別例構造を示し、この場合、整畦体１２は畦上面Ｗ1を整畦可能な円筒状の周側面１３ａをもつ上回転体部分１３とこの上回転体部分１３の下側に一体に形成されて畦一方斜面Ｗ2を整畦可能な略円筒状の周側面１４ａをもつ下回転体部分１４とからなる縦軸Ｒを備えた回転体状に形成されて縦軸に対して横回りに回転するように設けられ、整畦体１２の縦軸Ｒを畦一方斜面Ｗ2と平行方向に配し、油圧モータ１７により整畦体１２を縦軸Ｒに対して横回り強制回転させるように構成している。
【００１８】
図８の第三実施例は整畦体１２の別例構造を示し、この場合、整畦体１２は畦上面Ｗ1を整畦可能な円錐状の周側面１３ａをもつ上回転体部分１３とこの上回転体部分１３の下側に一体に形成されて畦一方斜面Ｗ2を整畦可能な略円錐状の周側面１４ａをもつ下回転体部分１４とからなる縦軸Ｒを備えた回転体状に形成され、整畦体１２の縦軸Ｒを鉛直方向に配し、油圧モータ１７により整畦体１２を縦軸Ｒに対して横回り強制回転させるように構成している。
【００１９】
これら第二、第三実施例にあっても、上記第一実施例と同様な作用効果を得ることができる。
【００２０】
尚、本発明は上記実施例に限られるものではなく、例えば盛土機構４として、畦造成方向に対して交差する方向の回転軸線をもつ回転ロータを採用することもでき、又、さらに上記実施例では一個の整畦体１２となっているが、この整畦体１２の進行方向後方位置に、整畦体１２と同様な構造の整畦体を配置したり、更に断面ヘ形状の板状の整畦体を畦叩機構により畦叩動作可能に配置することもできる。
【００２１】
また上記実施例では、整畦体１２油圧モータ１７により回転させるようにしているが、トラクタ１の主軸７から機械的な伝導機構を介して回転させることもでき、またこれとは逆に回転ロータ５を油圧モータにより回転させる構造を採用することもある。
【００２２】
【発明の効果】
本発明は上述の如く、請求項１記載の発明にあっては、トラクタを旧畦に沿って走行すると一方では盛土機構が畦際の圃場泥土を旧畦上に連続的に盛り上げ、カバー部材は泥土飛散を防止し、他方ではその旧畦上に盛り上げられた土に畦上面及び畦一方斜面に適合する連続した線分を母線とする周側面を有する縦軸を備えた回転体状の整畦体が縦軸に対して横回りに回転しつつ圧締し、これにより畦上面及び畦一方斜面は連続して圧締整畦され、それだけ整畦体の円滑な整畦進行ができると共に畦表面の仕上がり状態も良化し、良好な整畦作業を行い得ることができる。
【００２３】
又、請求項２記載の発明にあっては、整畦体を回転機構により強制回転することにより、一層良好な円滑な整畦進行が可能となって良好な整畦作業を行い得ることができ、又、請求項３記載の発明にあっては、整畦体は畦上面を整畦可能な円筒状の周側面をもつ上回転体部分とこの上回転体部分の下側に一体に形成されて畦一方斜面を整畦可能な略円筒状の周側面をもつ下回転体部分１４とからなる縦軸を備えた回転体状に形成されて縦軸に対して横回りに回転するように設けられていることにより、整畦体は縦軸に対して畦面を横回りに転動しつつ進行し、それだけ一層整畦体の円滑な整畦進行ができると共に畦表面の仕上がり状態も良化し、良好な整畦作業を行い得ることができ、また、請求項４記載の発明にあっては、上記整畦体の縦軸を畦の一方斜面に対して略平行に設けることにより、整畦体を縦軸方向に上下調節することで種々の畦高さに容易に適合させることができ、また、請求項５記載の発明にあっては、上記整畦体の上回転体部分の周側面の母線方向を畦上面に対して略平行に設けることにより畦上面の締圧を良化することができる。
【００２４】
以上の如く、所期の目的を充分達成することができる。
【図面の簡単な説明】
【図１】本発明の第一実施例の全体側面図である。
【図２】図１で示す本発明の第一実施例の全体平断面図である。
【図３】図１で示す本発明の第一実施例の後面図である。
【図４】図１で示す本発明の第一実施例の前面図である。
【図５】図１で示す本発明の第一実施例の部分平面図である。
【図６】図１で示す本発明の第一実施例の部分後面図である。
【図７】図１で示す本発明の第二実施例の部分後面図である。
【図８】図１で示す本発明の第三実施例の部分後面図である。
【符号の説明】
Ｗ  畦
Ｗ1  畦上面
Ｗ2  畦一方斜面
Ｒ  縦軸
Ｋ  母線
１  トラクタ
２  連結機構
３  機枠
４  盛土機構
１２  整畦体
１３  上回転体部分
１３ａ  周側面
１４  下回転体部分
１４ａ  周側面
１５  回転機構
【図１】
0003564621.tif 000002
【図２】
0003564621.tif 000003
【図３】
0003564621.tif 000004
【図４】
0003564621.tif 000005
【図５】
0003564621.tif 000006
【図６】
0003564621.tif 000007
【図７】
0003564621.tif 000008
【図８】
0003564621.tif 000009